(57)【特許請求の範囲】
【請求項１】
スプリンクラヘッドが誤って開弁したとしても放水されないように、火災感知器の火災発報を開弁の要因とする開放弁の二次側であって常時は吸引手段によって負圧状態とされる負圧式のスプリンクラ消火設備の消火配管と、該消火配管に接続されるスプリンクラヘッドとの間に介在するスプリンクラヘッド取付具において、
上端に前記消火配管に接続される配管連結口と、下端に前記スプリンクラヘッドが接続されるヘッド連結口と、側面に圧力検出手段と、を有し、
該圧力検出手段は、
前記スプリンクラヘッド取付具の内部と連通する内部開口部と、
前記内部開口部と連通する凹部内に設けられ、前記スプリンクラヘッド取付具の内部圧力によって伸縮するベロフラムと、
前記ベロフラムの伸長によって所定の負圧が維持されているか否かを表示する表示手段と、
を有し、
前記スプリンクラヘッド取付具の内部の負圧が消失したとき、弾性による復元力によって外部に向かって伸長する前記ベロフラムにより、前記スプリンクラヘッド位置の負圧が消失し、前記スプリンクラヘッドが誤作動すると漏水する虞があることを目視によって容易に視認できる
ことを特徴とするスプリンクラヘッド取付具。
【請求項２】
前記表示手段は、前記スプリンクラヘッド取付具の表面に配設され、内面がすりガラス状に表面加工されて常時は白濁して視認される透明部材を備え、該内面に前記ベロフラムが伸長して密着すると前記白濁が消滅して密着したベロフラムが視認されることを特徴とする請求項１に記載のスプリンクラヘッド取付具。
【請求項３】
前記表示手段は、前記スプリンクラヘッド取付具の外部と連通する外部開口部と、前記ベロフラムの先端から前記外部開口部に向かって伸びた突起部とを備え、該突起部は、常時は前記外部開口部からは突出せず、前記ベロフラムが伸長したときに前記外部開口部から突出することを特徴とする請求項１に記載のスプリンクラヘッド取付具。
【請求項４】
前記表示手段は、前記ベロフラムが、前記スプリンクラヘッド取付具の外部と連通する外部開口部の位置まで伸長したときに導通させる電極を備え、前記スプリンクラヘッド取付具内部の負圧が消失したときに前記電極を導通させ、前記電極に電力源とともに接続した表示灯を点灯または点滅させることを特徴とする請求項１に記載のスプリンクラヘッド取付具。
【請求項５】
前記表示灯は、前記ヘッド接続口に取り付けたスプリンクラヘッドと天井板との間隙をカバーするシーリングプレートに設けた窓部に備わることを特徴とする請求項４に記載のスプリンクラヘッド取付具。
【請求項６】
前記表示灯は、発光部を駆動する電力源としての電池と、発光部を周期的に点滅させる点滅回路と、を備え、該点滅回路による前記発光部の発光時間は消灯時間よりも短く設定され、前記発光部を連続点灯するよりも長時間駆動できるようにしたことを特徴とする請求項４または５に記載のスプリンクラヘッド取付具。
【発明の詳細な説明】
【技術分野】
【０００１】
本発明は、消火配管内が常時は負圧であるスプリンクラ消火設備の消火配管にスプリンクラヘッドを接続する、スプリンクラヘッド取付具に関するものである。
【背景技術】
【０００２】
スプリンクラヘッドが誤作動したとき、放出されてしまう水による損害を阻止する目的で、火災感知器の火災発報を開弁の要因とする開放弁を備え、該開放弁の二次側配管（以下、消火配管と称す）を常時は負圧とし、消火配管に水が入っていてもスプリンクラヘッドの誤作動で水が出ないようにした、負圧式スプリンクラ消火設備がある。
【０００３】
このような負圧式スプリンクラ消火設備では、火災感知器が火災を感知しない限り、前記開放弁は開弁せず、また、消火配管内の負圧状態が維持されるように制御されるので、消火配管に接続されたスプリンクラヘッドが破損するなどして誤って開弁したとしても、消火配管内の水は負圧によって吸引され、誤って開弁してしまったスプリンクラヘッドからは放水されないようになっている（特許文献１を参照）。
【先行技術文献】
【特許文献】
【０００４】
【特許文献１】国際公開第ＷＯ００／６１２３８号
【発明の概要】
【発明が解決しようとする課題】
【０００５】
しかしながら、消火配管の末端に接続したスプリンクラヘッドの位置では所定の負圧とならない場合がある。このような場合にスプリンクラヘッドが誤作動すると、誤作動したスプリンクラヘッドから漏水する虞がある。
【０００６】
例えば、スプリンクラヘッドを消火配管の本管に接続する立下げ管が長く、その立下げ管に水が溜まっているとき、溜まった水の落差が負圧による吸引力を上回ると、立下げ管先端のスプリンクラヘッドまで負圧を維持できない。また、立下げ管の長さが問題にならないような場合であっても、消火配管内を負圧とする吸引装置が故障すると負圧を維持することはできない。
【０００７】
そのようなときにスプリンクラヘッドが誤作動すると、立下げ管内に水が溜まっている場合は、その水が誤作動したスプリンクラヘッドから火災が発生していないときでも流れ出してしまい、防護すべき対象が濡れるような水損を招いてしまう。
【０００８】
しかしながら、スプリンクラヘッドの位置で所定の負圧が維持できているか否かを判別する手段がなく、対応は容易ではなかった。
この発明は上記事情に鑑み、上記したような負圧式のスプリンクラ消火設備に接続されたスプリンクラヘッドの位置で、所定の負圧が維持されているか否かを、目視によって容易に判別することができるスプリンクラヘッド取付具を得ることを目的とする。
【課題を解決するための手段】
【０００９】
この発明は、スプリンクラヘッドが誤って開弁したとしても放水されないように、火災感知器の火災発報を開弁の要因とする開放弁の二次側であって常時は吸引手段によって負圧状態とされる負圧式のスプリンクラ消火設備の消火配管と、該消火配管に接続されるスプリンクラヘッドとの間に介在するスプリンクラヘッド取付具において、上端に前記消火配管に接続される配管連結口と、下端に前記スプリンクラヘッドが接続されるヘッド連結口と、側面に圧力検出手段と、を有し、該圧力検出手段は、前記スプリンクラヘッド取付具の内部と連通する内部開口部と、前記内部開口部と連通する凹部内に設けられ、前記スプリンクラヘッド取付具の内部圧力によって伸縮するベロフラムと、前記ベロフラムの伸長によって所定の負圧が維持されているか否かを表示する表示手段と、を有し、前記スプリンクラヘッド取付具の内部の負圧が消失したとき、弾性による復元力によって外部に向かって伸長する前記ベロフラムにより、前記スプリンクラヘッド位置の負圧が消失し、前記スプリンクラヘッドが誤作動すると漏水する虞があることを目視によって容易に視認できることを特徴とする。
【００１０】
また、この発明は、前記表示手段が、前記スプリンクラヘッド取付具の表面に配設され、内面がすりガラス状に表面加工されて常時は白濁して視認される透明部材を備え、該内面に前記ベロフラムが伸長して密着すると前記白濁が消滅して密着したベロフラムが視認されることを特徴とする。
【００１１】
また、この発明は、前記表示手段が、前記スプリンクラヘッド取付具の外部と連通する外部開口部と、前記ベロフラムの先端から前記外部開口部に向かって伸びた突起部とを備え、該突起部は、常時は前記外部開口部からは突出せず、前記ベロフラムが伸長したときに前記外部開口部から突出することを特徴とする。
【００１２】
また、この発明は、前記表示手段は、前記ベロフラムが、前記スプリンクラヘッド取付具の外部と連通する外部開口部の位置まで伸長したときに導通させる電極を備え、前記スプリンクラヘッド取付具内部の負圧が消失したときに前記電極を導通させ、前記電極に電力源とともに接続した表示灯を点灯または点滅させることを特徴とする。
【００１３】
また、この発明は、前記表示灯が、前記ヘッド接続口に取り付けたスプリンクラヘッドと天井板との間隙をカバーするシーリングプレートに設けた窓部に備わることを特徴とする。
【００１４】
また、この発明は、前記表示灯は、発光部を駆動する電力源としての電池と、発光部を周期的に点滅させる点滅回路と、を備え、該点滅回路による前記発光部の発光時間は消灯時間よりも短く設定され、前記発光部を連続点灯するよりも長時間駆動できるようにしたことを特徴とする。
【発明の効果】
【００１５】
本発明の請求項１に記載の構成によれば、本発明に係るスプリンクラヘッド取付具に取り付けた閉鎖型スプリンクラヘッド位置の負圧が消失したときに、その旨を圧力検出手段で表示するので、前記スプリンクラヘッド位置の負圧が消失したことを目視によって容易に視認することができるという効果を奏する。
【００１６】
また、請求項２に記載の構成によれば、本発明に係るスプリンクラヘッド取付具に取り付けた閉鎖型スプリンクラヘッド位置の負圧が消失したときに、常時は白濁して視認される表示手段からベロフラムを視認できるので、前記スプリンクラヘッド位置の負圧が消失したことを目視によって容易に視認することができるという効果を奏する。
【００１７】
また、本発明の請求項３に記載の構成によれば、本発明に係るスプリンクラヘッド取付具に取り付けた閉鎖型スプリンクラヘッド位置の負圧が消失したときに、常時は突出していない突起部が表示手段から突出するので、前記スプリンクラヘッド位置の負圧が消失したことを目視によって容易に視認することができるという効果を奏する。
【００１８】
また、本願請求項４に記載の構成によれば、本発明に係るスプリンクラヘッド取付具に取り付けた閉鎖型スプリンクラヘッド位置の負圧が消失したときに表示灯が点灯または点滅して表示するので、前記スプリンクラヘッド位置の負圧が消失したことを目視によって容易に視認することができるという効果を奏する。
【００１９】
また、本願請求項５に記載の構成によれば、本発明に係るスプリンクラヘッド取付具が天井裏に配設されたとしても、天井面に取り付けたシーリングプレート部分で前記表示灯の点灯または点滅を目視によって容易に視認できるという効果を奏する。
【００２０】
また、本願請求項６に記載の構成によれば、電力消費を低減するので、前記表示灯をより長時間駆動することができるという効果を奏する。
【図面の簡単な説明】
【００２１】
【図１】本発明の実施の形態１に係るスプリンクラヘッド取付具１の外観図である。
【図２】本発明の実施の形態１に係るスプリンクラヘッド取付具１の縦断面図であり、図（ａ）はスプリンクラヘッド取付具本体１の圧力検出手段２を含む断面を、図（ｂ）は所定の負圧状態における圧力検出手段２の断面の拡大図を、図（ｃ）は所定の負圧状態に満たない状態の圧力検出手段２の断面の拡大図を、それぞれ示すものである。
【図３】本発明の実施の形態２に係るスプリンクラヘッド取付具１０の外観図である。
【図４】本発明の実施の形態２に係るスプリンクラヘッド取付具１０の縦断面図であり、図（ａ）はスプリンクラヘッド取付具本体１０の圧力検出手段２０を含む断面を、図（ｂ）は所定の負圧状態における圧力検出手段２０の断面の拡大図を、図（ｃ）は所定の負圧状態に満たない状態の圧力検出手段２０の断面の拡大図を、それぞれ示すものである。
【図５】本発明の実施の形態２に係るスプリンクラヘッド取付具１００の縦断面図であり、図（ａ）はスプリンクラヘッド本体の圧力検出手段２００を含む断面を、図（ｂ）は所定の負圧状態における圧力検出手段２００の断面の拡大図を、図（ｃ）は所定の負圧状態に満たない状態の圧力検出手段２００の断面の拡大図を、それぞれ示すものである。
【図６】本発明の実施の形態３に係るスプリンクラヘッド取付具１００を天井面に配設したスプリンクラヘッド７に取り付け、シーリングプレート８に設けた表示手段１２に接続した状態を示す図である。
【図７】本発明の実施の形態４に係るスプリンクラヘッド取付具１０１の外観図である。
【図８】本発明の実施の形態４に係るスプリンクラヘッド取付具１０１の縦断面図である。
【図９】本発明の実施の形態４に係るスプリンクラヘッド取付具１０１の分解図である。
【発明を実施するための形態】
【００２２】
本発明に係るスプリンクラヘッド取付具は、スプリンクラヘッドが誤作動したときに放出されてしまう水による損害を阻止する目的で、火災感知器の火災発報を開弁の要因とする開放弁と、該開放弁の二次側配管（以下、消火配管）を常時は吸引して負圧とし、火災時は前記消火配管からの吸引を停止する吸引手段を備える、負圧式のスプリンクラ消火設備の、消火配管とスプリンクラヘッドとの間に介在して、スプリンクラヘッドを前記消火配管に接続するように設けるものである。
【００２３】
接続の対象とする負圧式のスプリンクラ消火設備は、消火配管が消火用水で充水される湿式（例えば、国際公開第ＷＯ００／６１２３８号を参照）、消火配管が消火用水で充たされず負圧空気とされる乾式（例えば、実開平１−１３０７５６号公報、特開２０１１−１５２２６９号公報を参照）、のいずれでも良い。さらに、接続の対象とするスプリンクラ消火設備は、前記負圧式であるとともに予作動式のスプリンクラ消火設備であることが、スプリンクラヘッドの誤作動による水損を防止する上で望ましい。予作動式のスプリンクラ消火設備は、火災感知器の火災発報を要因として開放する開放弁である予作動弁を備え、スプリンクラヘッドが開弁しただけでは放水しないようにしたスプリンクラ消火設備であり、火災感知器の火災発報と連動して開放弁が開放される一般のタイプ（例えば、国際公開第ＷＯ００／６１２３８号を参照）と、火災感知器の火災発報があるとともに、火災の熱でスプリンクラヘッドが開弁して消火配管内の圧力が変化したことを検出することによって開放弁を開放するタイプ（例えば、実開平１−１３０７５６号公報、特開２０１１−１５２２６９号公報を参照）と、がある。
［実施の形態１］
【００２４】
まず、実施の形態１に係るスプリンクラヘッド取付具１について、図１および図２に基づいて、その構成を説明する。
スプリンクラヘッド取付具１は、上述した接続対象であるスプリンクラ消火設備の消火配管に接続される立下げ管６に螺着する配管連結口３を上端に有し、閉鎖型スプリンクラヘッド７を螺着するヘッド連結口４を有し、側面に圧力検出手段２を有する（図１および図２（ａ）を参照）。
【００２５】
該圧力検出手段２は、内面がすりガラス状に表面加工された透明部材で形成された表示手段である窓部２ａと、先端部が閉塞された略円筒形のエラストマーによって形成されたベロフラム２ｃと、これらを収容する、スプリンクラヘッド取付具１の側面に設けられて、スプリンクラヘッド取付具１の外部側が略円形に開口した凹部とで構成される。
【００２６】
窓部２ａは先端部が閉塞された略円筒形に形成され、その内径はベロフラム２ｃの外径よりも大きくし、また、その外径は前記凹部の内径より小さくする。そして、その高さは、前記凹部に嵌め込んだときに、スプリンクラヘッド取付具１の外周面と同一となるようにする。あるいは、それ以上の高さとしてスプリンクラヘッド取付具１の外周面から窓部２ａを突出させても良い。
【００２７】
スプリンクラヘッド取付具１の前記凹部には、内部開口部２ｄが設けられ、該内部開口部２ｄはスプリンクラヘッド取付具１の内部と連通している。また、前記窓部２ａには外部開口部２ｂが設けられ、前記凹部に嵌め込まれて固定される窓部２ａの内部は、外部開口部２ｂを介してスプリンクラヘッド取付具１の外部と連通している。
【００２８】
そして、窓部２ａに備わる外部開口部２ｂと、前記凹部に備わる前記内部開口部２ｄとは、互いに連通するように設けられ、その間をベロフラム２ｃによって遮蔽される。すなわち、該ベロフラム２ｃは、その周縁をスプリンクラヘッド取付具１本体の凹部と、前記窓部２ａの周縁部とで挟持され、外部開口部２ｂと内部開口部２ｄとの間を遮蔽するように固定される。
【００２９】
このように外部開口部２ｂと内部開口部２ｄとの間は遮蔽されるので、スプリンクラヘッド取付具１に接続したスプリンクラヘッドから放水するときは、外部開口部２ｂから水が漏れることはない。
【００３０】
スプリンクラヘッド取付具１の本体へ、窓部２ａを取り付ける方法は、窓部２ａ周囲をスプリンクラヘッド１本体の前記凹部へ接着しても良いし、窓部２ａをスプリンクラヘッド取付具１の前記凹部へ螺着しても良いし、スプリンクラヘッド１に固定される図示しない窓部２ａの外部側の押さえ板によって、窓部２ａをスプリンクラヘッド取付具１と挟持しても良い。
【００３１】
そしてスプリンクラヘッド取付具１本体の凹部と窓部２ａとの間には、スプリンクラヘッド取付具１の内部が負圧でないときにベロフラム２ｃの先端部表面が窓部２ａの内面に接するように設けられる間隙があり、外部開口部２ｂと内部開口部２ｄとの圧力差、すなわちスプリンクラヘッド取付具１の内部と外部との圧力差によって、外部開口部２ｂと内部開口部２ｄとの間でベロフラム２ｃが伸縮できるようになっている。
【００３２】
前記窓部２ａは、内面がすりガラス状に表面加工された透明部材で形成されているので、それ自体の単体は白濁して見える部材である。ベロフラム２ｃが窓部２ａの内面に接すると、前記白濁が消滅し、窓部２ａの外部側からベロフラム２ｃを視認できる。
【００３３】
次に、本実施の形態におけるスプリンクラヘッド取付具１の動作について説明する。
【００３４】
スプリンクラヘッド取付具１の内部が所定の負圧である常時は、ベロフラム２ｃは内部開口部２ｄから吸引されて収縮し、内部開口部２ｄに密着する（図２（ｂ）参照）。このとき、ベロフラム２ｃは窓部２ａの内面から離間するので、外部から見た窓部２ａは白濁して視認される。
【００３５】
スプリンクラヘッド取付具１の内部の負圧が消失したとき、内部開口部２ｄと外部開口部２ｂとの間の差圧がなくなるので、ベロフラム２ｃはそれ自体の弾性による復元力によって外部開口部２ｂ側に向かって伸長し、窓部２ａの内面に密着する（図２（ｃ）参照）。窓部２ａのすりガラス状に表面加工された内面にエラストマーで形成されたベロフラム２ｃが伸長して密着すると、外部からは窓部２ａの白濁が消滅して密着したベロフラム２ｃが視認される。これによって、圧力検出手段２の窓部２ａは、スプリンクラヘッド取付具１内部の負圧が消失したことを表示する表示手段として作用し、スプリンクラヘッド取付具１に取り付けた閉鎖型スプリンクラヘッド７の位置の負圧が消失したことを目視によって容易に視認することができる。
【００３６】
なお、前記窓部２ａの外部開口部２ｂを設けないこともできる。
すなわち、ベロフラム２ｃは内部開口部２ｄを介してスプリンクラヘッド取付具１の内部と連通しており、スプリンクラヘッド取付具１の内部が負圧であるときは、ベロフラム２ｃは内部開口部２ｄから吸引されて収縮して窓部２ａから離間するものであり、スプリンクラヘッド取付具１内の負圧が消失したときに、ベロフラム２ｃがそれ自体の弾性による復元力によって窓部２ａに向かって伸長し、窓部２ａの内面に密着するようにすれば良い。
［実施の形態２］
【００３７】
実施の形態２に係るスプリンクラヘッド取付具１０について、図３および図４に基づいて、その構成を説明する。なお、実施の形態１と構成が同じ箇所については同一の符号を付し、その説明を省略する。
【００３８】
本実施の形態２が実施の形態１と異なる点は、圧力検出手段２０のみである。図１に図示された実施の形態１の圧力検出手段２は、本実施の形態の圧力検出手段２０に読み換える。
【００３９】
圧力検出手段２０は、先端に突起部２０ｅを有するベロフラム２０ｃと、ベロフラム固定部材２０ｆと、突起部２０ｅが貫通する外部開口部２０ｂを有する突起支持部２０ｇと、これらを収納する、スプリンクラヘッド取付具１０の側面に設けられた凹部と、押さえ板２０ｈと、ビス２０ｉと、で構成される。
【００４０】
前記凹部は、スプリンクラヘッド取付具１０の内部と連通する内部開口部２０ｄを有し、突起支持部２０ｇは、スプリンクラヘッド取付具１０の外部と連通する外部開口部２０ｂを有し、これらは互いに連通するように設けられる。そして、ベロフラム２０ｃは、これら開口部２０ｂ、２０ｄを遮蔽するように設けられる。
【００４１】
該ベロフラム２０ｃは、先端部が閉塞された略円筒形のエラストマーによって形成され、さらに、前記略円筒形の先端部には棒状に形成された突起部２０ｅが外部に向かって突設され、また、前記略円筒形の開口側端部周縁には鍔状に突設された鍔状部を有する。そして、該鍔状部は、スプリンクラヘッド取付具１０の本体と、ベロフラム２０ｃの直径よりも大きな開口を有するベロフラム固定部材２０ｆとで、前記凹部内で挟持される。略円筒形に形成された該ベロフラム固定部材２０ｆの厚みは、外部開口部２０ｂと内部開口部２０ｄとの間の距離と同じであり、スプリンクラヘッド取付具１０の内部が負圧でないときにベロフラム２０ｃの先端部表面が突起支持部２０ｇの内面に接するように設けられ、スプリンクラヘッド取付具１０の外部と内部との差圧によって、この間をベロフラム２０ｃが伸縮可能となる空間を確保している。
【００４２】
また、ベロフラム固定部材２０ｆは、ベロフラム２０ｃの突起部２０ｅが貫通する外部開口部２０ｂを有する突起支持部２０ｇの外部開口部周縁の板部と、スプリンクラヘッド取付具１０の本体とで挟持される。また、突起支持部２０ｇは、その外部からスプリンクラヘッド取付具１にビス２０ｉで固定される押さえ板２０ｈによって、ベロフラム固定部材２０ｆとともに、スプリンクラヘッド取付具１０の本体との間に挟持され、スプリンクラヘッド取付具１０の外部から視認できるように、スプリンクラヘッド取付具１０の外周部と同一の高さ以上に設けられる。
【００４３】
スプリンクラヘッド取付具１０の内部が所定の負圧であるときは、ベロフラム２０ｃは内部開口部２０ｄから吸引されて収縮し、内部開口部２０ｄに密着する。このとき、ベロフラム２０ｃの先端の突起部２０ｅは突起支持部２０ｇに設けられた外部開口部２０ｂから突出しない長さにしておく。すなわち外部から見えないように設定される（図４（ｂ）参照）。
【００４４】
また、内部開口部２０ｄと外部開口部２０ｂとの間の差圧がないとき、ベロフラム２０ｃはそれ自体の弾性による復元力によって外部開口部２０ｂ側に向かって伸長するが、このとき、ベロフラム２０ｃとともに、その先端に設けられた突起部２０ｅが外部開口部２０ｂから突出するように設定する（図４（ｃ）参照）。
【００４５】
次に、以上のように構成した、実施の形態２におけるスプリンクラヘッド取付具１０の動作について説明する。
【００４６】
上記の構成から明らかなように、スプリンクラヘッド取付具１０の本体と、突起支持部２０ｇの内面との間には、ベロフラム２０ｃが伸縮可能な空間、すなわち外部開口部２０ｂと内部開口部２０ｄとの離間距離に相当する高さと、ベロフラム２０ｃの直径よりも大きなベロフラム固定部材２０ｆの開口部があり、外部開口部２０ｂと内部開口部２０ｄとの間の圧力差、すなわちスプリンクラヘッド取付具１０の内部と外部との圧力差によって、外部開口部２０ｂと内部開口部２０ｄとの間でベロフラム２０ｃが伸縮できるようになっている。
【００４７】
スプリンクラヘッド取付具１０の内部が所定の負圧である常時は、ベロフラム２０ｃは内部開口部２０ｄから吸引されて収縮し、内部開口部２０ｄに密着する。このとき、ベロフラム２０ｃの先端の突起部２０ｅは突起支持部２０ｇに設けられた外部開口部２０ｂからは突出しない、すなわち外部から見えないように設定されているので、スプリンクラヘッド取付具１０の内部が所定の負圧である常時は、外部からは突起部２０ｅが見えない。
【００４８】
スプリンクラヘッド取付具１０の内部の負圧が消失したとき、内部開口部２０ｄと外部開口部２０ｂとの間の差圧がなくなるので、ベロフラム２０ｃはそれ自体の弾性による復元力によって、突起支持部２０ｇの内面に密着するまで、外部開口部２０ｂ側に向かって伸長する。このとき、ベロフラム２０ｃとともに、その先端に設けられた突起部２０ｅも外部開口部２０ｂに向かって移動し、外部開口部２０ｂから突出するように設定されているので、圧力検出手段２０の突起部２０ｅと突起支持部２０ｇとは、スプリンクラヘッド取付具１０内部の負圧が消失したことを表示する表示手段として作用し、スプリンクラヘッド取付具１０に取り付けた閉鎖型スプリンクラヘッド７の位置の負圧が消失したことを目視によって容易に視認することができる。
【００４９】
なお、圧力検出手段２０は、ビス２０ｉおよび押さえ板２０ｈとを用いてスプリンクラヘッド取付具１０の本体に取り付けるようにしたが、以下のように圧力検出手段２０を構成しても良い。
すなわち、スプリンクラヘッド取付具１０の側面を環状にくり抜いて、その部分に螺着可能な、前端が閉塞された筒状の図示しない取付部材を設け、該取付部材に、ベロフラム２０ｃとベロフラム固定部材２０ｆを収容可能な凹部を設け、ベロフラム固定部材２０ｆを収容後、外周に雄ねじが形成された突起支持部を前記取付部材の内部に形成した雌ねじに結合することで圧力検出手段を構成する。前記取付部材の閉塞側には内部開口部２０ｄが設けられ、反対側には、前記取付部材を回動させるためのジグ挿入孔を形成する。
［実施の形態３］
【００５０】
実施の形態３に係るスプリンクラヘッド取付具１００について、図５および図６に基づいて、その構成を説明する。本実施の形態３が実施の形態２と異なる点は、圧力検出手段２００と、該圧力検出手段２００へ電気的に接続された表示手段としての表示灯１２と、該表示灯１２を設けたシーリングプレートとにある。なお、実施の形態２と構成が同じ箇所については同一の符号を付し、その説明を省略する。
【００５１】
ベロフラム２００ｃが、実施の形態２のベロフラム２０ｃと異なる点は、突起部２０ｅを廃し、先端部が閉塞された略円筒形にエラストマーで形成されたベロフラム２００ｃの前記先端部に、導電性材料で略円盤状に形成された導電板２００ｊを設けたことである。
【００５２】
これに対応して、実施の形態２の突起支持部２０ｇに代えて、実施の形態２の外部開口部２０ｂに相当する外部開口部２００ｂの近傍に、前記導電板２００ｊと対向する電極２００ｅを２本離間して設けた電極支持部材２００ｇを設けている。
【００５３】
そして、上記の変更点に対応して、押さえ板２０ｈを押さえ板２００ｈに、ベロフラム固定部材２０ｆをベロフラム固定部材２００ｆに、内部開口部２０ｄを内部開口部２００ｄに、ビス２０ｉをビス２００ｉに、それぞれ符号のみを変更している。
【００５４】
さらに、前記電極２００ｅは、２本の電線１１によって表示灯１２へ電気的に接続される。該表示灯１２は、発光部としての、例えばＬＥＤ等の発光素子１２ａと、電力源としての電池１２ｂと、図示しない点滅回路とを備え、天井面に設置されたスプリンクラヘッド７と天井板Ｃとの間隙をカバーするシーリングプレート８に取り付けられる。そして、発光素子１２ａが投光する方向に表示窓９が位置するように発光素子１２ａを設置し、シーリングプレート８に設けた表示窓９を介して、発光素子１２ａから発する光がシーリングプレート８の下方に照射されるようになっている。なお、表示窓９は透明部材で形成しても良いが、光を拡散するような部材または構造で形成すると、視認する上で方向性を無くすことができるので、異なる方向から見ても発光を視認し易くなる。
【００５５】
また、表示窓９をシーリングプレート８の中央を中心とするリング状に形成し、該リング状表示窓全体が光るようなライトガイドとしても良い。このように構成すると、全方向から発光を視認し易くなるので、格段に視認性が向上する。
【００５６】
また、前記電池１２ｂは、自己放電が少ない電池、例えばリチウム電池であることが望ましい。すなわち、年１回程度の定期点検の周期では点検によって定期交換が可能であるが、自己放電によって点検間隔よりも短い時間で消耗してしまうと、実際に表示灯１２を駆動する際に電力が残っていない虞があるからである。
【００５７】
また、発光素子１２ａを周期的に点滅させる点滅回路を備え、発光素子１２ａの発光時間を消灯時間よりも短く設定することによって、表示灯駆動時の消費電力を大幅に低減することができるので、少なくとも発光素子１２ａを連続点灯するよりも長時間駆動することができる。
【００５８】
なお、ベロフラム２００ｃは、スプリンクラヘッド取付具１００の内部が所定の負圧であるときは内部開口部２００ｄから吸引されて収縮し、内部開口部２００ｄに密着する。このとき、ベロフラム２００ｃの先端部に設けた導電板２００ｊは電極２００ｅと離間するように設定される（図５（ｂ）参照）。
【００５９】
また、ベロフラム２００ｃは、内部開口部２００ｄと外部開口部２００ｂとの間の差圧がないとき、それ自体の弾性による復元力によって外部開口部２００ｂ側に向かって伸長するが、このとき、ベロフラム２００ｃとともに、その先端に設けられた導電板２００ｊが電極２００ｅに当接するように設定する（図５（ｃ）参照）。
【００６０】
次に、以上のように構成した、実施の形態３におけるスプリンクラヘッド取付具１００の動作について説明する。
【００６１】
スプリンクラヘッド取付具１００の内部は常時は所定の負圧に維持されており、ベロフラム２００ｃは内部開口部２００ｄを介して吸引されるので、ベロフラム２００ｃは内部開口部２００ｄ側に収縮し、導電板２００ｊは電極２００ｅと離間し、電極２００ｅ間は導通しない。したがって、表示灯１２も駆動されない。
【００６２】
スプリンクラヘッド取付具１００の内部の負圧が消失したとき、すなわち、内部開口部２００ｄと外部開口部２００ｂとの間の差圧がなくなると、ベロフラム２００ｃはそれ自体の弾性による復元力によって、導電板２００ｊが電極２００ｅに当接するまで、外部開口部２００ｂ側に向かって伸長するので、導電板２００ｊは２本の電極２００ｅに当接し、２本の電極２００ｅ間が導通する。いわば、スイッチがオンした状態に相当する。これによって、電極２００ｅに接続した２本の電線１１の間が導通するので、電力源としての電池１２ｂを有する表示灯１２を点灯または点滅させることができる。
【００６３】
このように動作することにより、スプリンクラヘッド取付具１００に取り付けた閉鎖型スプリンクラヘッド７の位置の負圧が消失したことを目視によって容易に視認することができるのである。
【００６４】
表示灯１２は、点灯させるよりも点滅させる方が視認し易い上、消費電力を低減することができるので、表示灯１２に点滅回路を備えることが望ましい。さらに、点滅回路の発光時間を消灯時間よりも短く設定すると、より消費電力が低減するので、発光素子１２ｂを連続点灯するよりも大幅に長時間駆動できるようにできる。
［実施の形態４］
【００６５】
実施の形態４に係るスプリンクラヘッド取付具１０１について、図７乃至図９に基づいて、その構成を説明する。本実施の形態４が実施の形態１と異なる点は、表示手段としての窓部２ａが、どの方向からも視認できるように、スプリンクラヘッド取付具１０１の外周部の全周に渡って帯状に設けられる円筒形の窓部２０１ａとなり、該窓部２０１ａを含む略円筒形の圧力検出手段２０１を挟持して固定するように、スプリンクラヘッド取付具１０１が本体上部１０１ａと本体下部１０１ｂとに分割されたことにある。なお、実施の形態１と構成が同じ箇所については同一の符号を付し、その説明を省略する。
【００６６】
圧力検出手段２０１は、内周部と外周部とを連通する複数の開口部である外部開口部２０１ｂを有する、スプリンクラヘッド取付具１０１と同じ外径の円筒形に、内面がすりガラス状に表面加工された透明部材で形成された表示手段である窓部２０１ａと、該窓部２０１ａの内面に内接するように略タイヤ状の形状にエラストマーで形成されたベロフラム２０１ｃと、該ベロフラム２０１ｃの内周部を固定するようにその外周部が略タイヤホイール状に形成されたベロフラム固定部材２０１ｋと、で構成される。
【００６７】
前記ベロフラム２０１ｃは、窓部２０１ａの内面に内接し窓部２０１ａの高さよりも小さな高さの円筒部と、該円筒部の上下端に内側へドーナツ状に突設され、所定の円形開口部を有する円板部と、該円板部の内周側端部に前記円筒部と平行に内側へ突設される鍔部と、を有する、略タイヤ状に形成される。
【００６８】
前記ベロフラム固定部材２０１ｋは、前記ベロフラム２００ｃの円筒部内面より小さな外径の略円筒形で、高さは前記略円筒形の外周部の上下端面がベロフラム２０１ｃの前記鍔部に内接するように設定されるような略タイヤホイール状に形成され、その上下端面はそれぞれベロフラム２０１ｃの前記円板部開口よりも小さな内径で開口して上下貫通している。このベロフラム固定部材２０１ｋの上下端を貫通する開口部の内面は、上端側および下端側に、それぞれ本体上部１０１ａと本体下部１０１ｂとが螺設されるように、ねじ切りが施され、その中間部の内面には複数の内部開口部２０１ｄが設けられ、ベロフラム固定部材２０１ｋの内部と外部とを連通させている（図５（ｃ）参照）。
【００６９】
圧力検出手段２０１は、同心円状に、前記ベロフラム固定部材２０１ｋの周縁部に前記ベロフラム２０１ｃを被せ、該ベロフラム２０１ｃの前記円筒部である外周面に前記窓部２０１ａを被せ、これらを段部のあるフランジ１０１ｃ、１０１ｄとで挟んで形成する。
【００７０】
そして、圧力検出手段２０１の上端側から、外周側をねじ切りされた本体上部１０１ａをベロフラム固定部材２０１ｋ上端に螺設して、上端側のフランジ１０１ｃを挟持し、さらに、圧力検出手段２０１の下端側から、外周部をねじ切りされた本体下部１０１ｂをベロフラム固定部材２０１ｋ下端に螺設して、下端側のフランジ１０１ｄを挟持するように組み立てる。すなわち、フランジ１０１ｃは本体上部１０１ａをベロフラム固定部材２０１ｋに螺設できるように、本体上部１０１ａの螺設部が貫通できるだけの開口を有し、フランジ１０１ｄは本体下部１０１ｂをベロフラム固定部材２０１ｋに螺設できるように、本体下部１０１ｂの螺設部が貫通できるだけの開口を有する。
【００７１】
そして、フランジ１０１ｃ、１０１ｄの段部は、両方の段部の高さを合わせて、圧力検出手段２０１を組み立てたときの、窓部２０１ａの高さとベロフラム２０１ｃの高さとの差に相当する。実際には、フランジ１０１ｃ、１０１ｄの段部の高さを合わせた長さは、窓部２０１ａの高さとベロフラム２０１ｃの高さとの差よりも僅かに大きく設定し、フランジ１０１ｃ、１０１ｄの外周部で窓部２０１ａを挟持したときに、フランジ１０１ｃ、１０１ｄの内側に突出した段部でベロフラム２０１ｃの上端部および下端部をベロフラム固定部材２０１ｋの外周上面および外周下面に押圧して封止するようにする。すなわち、エラストマーで形成されたベロフラム２０１ｃは、ベロフラム固定部材２０１ｋとフランジ１０１ｃ、１０１ｄに挟持されて圧縮され、密閉される（図８参照）。
【００７２】
このようにして組み立てられたスプリンクラヘッド取付具１０１は、その内部が負圧でないとき、ベロフラム２０１ｃの円筒部が窓部２０１ａの内面に接するように作用する。そして、ベロフラム２０１ｃとベロフラム固定部材２０１ｋとの間には間隙があり、外部開口部２０１ｂと内部開口部２０１ｄとの圧力差、すなわちスプリンクラヘッド取付具１０１の内部と外部との圧力差によって、外部開口部２０１ｂと内部開口部２０１ｄとの間でベロフラム２０１ｃは直径方向に伸縮してその前記円筒部が移動可能なようになっている。
【００７３】
前記窓部２０１ａは、内面がすりガラス状に表面加工された透明部材で形成されているので、それ自体の単体は白濁して見える部材である。ベロフラム２０１ｃが窓部２０１ａの内面に接すると、前記白濁が消滅し、窓部２０１ａの外部側からベロフラム２０１ｃを視認できる。
【００７４】
次に、本実施の形態におけるスプリンクラヘッド取付具１０１の動作について説明する。
【００７５】
スプリンクラヘッド取付具１０１の内部が所定の負圧である常時は、実施の形態１と同様に、ベロフラム２０１ｃは内部開口部２０１ｄから吸引されて収縮し、内部開口部２０１ｄに密着する。このとき、ベロフラム２０１ｃは窓部２０１ａの内面から離間するので、外部から見た窓部２０１ａは白濁して視認される。
【００７６】
スプリンクラヘッド取付具１０１の内部の負圧が消失したときも、実施の形態１と同様に、内部開口部２０１ｄと外部開口部２０１ｂとの間の差圧がなくなるので、ベロフラム２０１ｃはそれ自体の弾性による復元力によって外部開口部２０１ｂ側に向かってその直径方向に伸長し、窓部２０１ａの内面に密着する。窓部２０１ａのすりガラス状に表面加工された内面にエラストマーで形成されたベロフラム２０１ｃが伸長して密着すると、外部からは窓部２０１ａの白濁が消滅して密着したベロフラム２０１ｃが視認される。これによって、圧力検出手段２０１の窓部２０１ａは、スプリンクラヘッド取付具１０１内部の負圧が消失したことを表示する表示手段として作用し、スプリンクラヘッド取付具１０１に取り付けた閉鎖型スプリンクラヘッド７の位置の負圧が消失したことを、周囲のどの方向から見ても、目視によって容易に視認することができる。
【００７７】
なお、前記窓部２０１ａの外部開口部２０１ｂを設けないこともできる。
すなわち、ベロフラム２０１ｃは内部開口部２０１ｄを介してスプリンクラヘッド取付具１０１の内部と連通しており、スプリンクラヘッド取付具１０１の内部が負圧であるときは、ベロフラム２０１ｃは内部開口部２０１ｄから吸引されて収縮して窓部２０１ａから離間するものであり、スプリンクラヘッド取付具１０１内の負圧が消失したときに、ベロフラム２０１ｃがそれ自体の弾性による復元力によって窓部２０１ａに向かって伸長し、窓部２０１ａの内面に密着するようにすれば良い。
【００７８】
なお、従来技術として記載した特許文献の記載内容は、この明細書に記載された技術的要素の説明として、参照によって導入ないし援用することができる。
【符号の説明】
【００７９】
１、１０、１００、１０１  スプリンクラヘッド取付具、
２、２０、２００、２０１  圧力検出手段、  ２ａ、２０１ａ  窓部、
２ｃ、２０ｃ、２００ｃ、２０１ｃ  ベロフラム、
２０ｅ  突起部、  ２００ｅ  電極、
２０ｆ  ２００ｆ  ベロフラム固定部材、
２０ｂ  電極支持部材、  ２０ｉ  導電板、  
２ｂ、２０ｂ、２００ｂ、２０１ｂ  外部開口部、
２ｄ、２０ｄ、２００ｄ、２０１ｄ  内部開口部、
２０ｇ  突起支持部、  ２０ｆ、２００ｆ、２０１ｋ  ベロフラム固定部材、
２０ｈ、２００ｈ  押さえ板、  ２０ｉ、２００ｉ  ビス、
１００ａ  本体上部、１００ｂ  本体下部、  １００ｃ、１００ｄ  フランジ、
３  配管接続口、  ４  ヘッド接続口、
１２  表示灯、  １２ａ  発光素子、  １２ｂ  電池、  １１  電線、
６  立下げ管、  ７  閉鎖型スプリンクラヘッド、
８  シーリングプレート、  ９  表示窓、  Ｃ  天井
【図１】
0005830418.tif 000002
【図２】
0005830418.tif 000003
【図３】
0005830418.tif 000004
【図４】
0005830418.tif 000005
【図５】
0005830418.tif 000006
【図６】
0005830418.tif 000007
【図７】
0005830418.tif 000008
【図８】
0005830418.tif 000009
【図９】
0005830418.tif 000010